(57)【要約】【課題】精度良く不要信号の判定を行うことができる無線ＬＡＮ装置を提供する。【解決手段】受信信号の強度を検出する受信信号強度検出器１０８と、閾値を動的に変更する受信信号強度閾値設定部１１５と、受信信号強度検出器１０８によって検出された強度が受信信号強度閾値設定部１１５によって設定された閾値以下であるか否かを判定する受信信号強度閾値判定部１１４と、受信信号に含まれるトレーニング信号の自己相関値を演算し、演算した自己相関値がトレーニング信号相関閾値設定部１１７によって設定された閾値以下であるか否かを判定するトレーニング信号相関演算判定部１１６と、受信信号強度閾値判定部１１４による判定結果とトレーニング信号相関演算判定部１１６による判定結果とに基づいて、受信信号を拒絶するか否かを判定するベースバンド信号処理部１１８と、を備える。【選択図】図１
2008060699.tif 000002
【特許請求の範囲】
【請求項１】
受信信号の強度を検出する受信信号強度検出手段と、
第１の閾値を動的に変更する第１閾値変更手段と、
前記受信信号強度検出手段によって検出された強度が前記第１の閾値以下であるか否かを判定する受信信号強度閾値判定手段と、
受信信号に含まれるトレーニング信号の自己相関値を演算するトレーニング信号相関演算手段と、
前記トレーニング信号相関演算手段によって演算された自己相関値が第２の閾値以下であるか否かを判定するトレーニング信号相関閾値判定手段と、
前記受信信号強度閾値判定手段による判定結果と前記トレーニング信号相関閾値判定手段による判定結果とに基づいて、受信信号を拒絶するか否かを判定する受信信号拒絶判定手段と、を備えたことを特徴とする無線ＬＡＮ装置。
【請求項２】
前記第２の閾値を動的に変更する第２閾値変更手段を備えた請求項１に記載の無線ＬＡＮ装置。
【請求項３】
アクセスポイントとの接続確立を行う際の前記アクセスポイントからの受信信号に基づいて、前記第１の閾値を決定する第１閾値決定手段を備え、
前記受信信号強度閾値判定手段は、前記受信信号強度検出手段によって検出された強度が前記第１閾値決定手段によって決定された第１の閾値以下であるか否かを判定することを特徴とする請求項１または請求項２に記載の無線ＬＡＮ装置。
【請求項４】
前記第１の閾値に基づいて、送信信号の強度を決定する送信信号強度決定手段を備えたことを特徴とする請求項１乃至請求項３の何れかに記載の無線ＬＡＮ装置。
【請求項５】
前記第１の閾値と前記第２の閾値とに基づいて、送信信号の強度を決定する送信信号強度決定手段を備えたことを特徴とする請求項１乃至請求項３の何れかに記載の無線ＬＡＮ装置。
【請求項６】
接続確立が成功したアクセスポイントのＭＡＣアドレスを保持するＭＡＣアドレス保持手段と、
受信信号が前記ＭＡＣアドレス保持手段によって保持されているＭＡＣアドレスのアクセスポイントからの信号であるか否かを判定するＭＡＣアドレス判定手段と、を備え、
前記受信信号拒絶判定手段は、前記ＭＡＣアドレス判定手段による判定結果に基づいて、受信信号を拒絶するか否かを判定することを特徴とする請求項１乃至請求項５の何れかに記載の無線ＬＡＮ装置。
【発明の詳細な説明】
【技術分野】
【０００１】
本発明は、ＩＥＥＥ８０２．１１に準拠した無線ＬＡＮ装置に関し、特に、ネットワーク機器、プリンタ、ＭＦＰ（Multi Function Peripherals）等に使用される無線ＬＡＮ装置に関する。
【背景技術】
【０００２】
ＩＥＥＥ８０２．１１に規定される無線ＬＡＮ装置においては、アクセスポイント（以下、単に「ＡＰ」という。）を経由したステーション端末（以下、単に「ＳＴＡ」という。）間通信であるインフラストラクチャモードと、ＳＴＡ間を直接通信するアドホックモードとがある。
【０００３】
一般的に、無線ＬＡＮ環境を構築する場合には、インフラストラクチャモードで構成することが多い。ＡＰを経由するデータ通信は、ＳＴＡとＡＰ間でのリンク確立を行った後で行われる。ここで言うリンク確立を行う方法としては、ＡＰから定期的に出されるビーコン（Beacon）信号をもとにＳＴＡが接続を試みる方法と、ＳＴＡがプローブ要求（Probe Request）をＡＰに向かって出した結果、ＡＰから返ってくるプローブ応答（Probe Response）をもとに接続を試みる方法がある。前者をパッシブスキャン（Passive Scan）、後者をアクティブスキャン（Active Scan）という。それぞれのスキャン結果をもとに、認証（Authentication）やアソシエーション（Association）を実行して、ＡＰとの接続確立が成功する。
【０００４】
ここで、ＡＰから発せられるビーコン信号のＭＡＣヘッダと呼ばれる領域においては、図４に示すように、ＡＰのＭＡＣアドレスが送信元アドレスおよびＢＳＳＩＤに含まれている。なお、フレームボディには、時間管理情報やＡＰの許容機能等が含まれている。また、規格対応によっては、ＡＰ自身が送信する信号の強度を通知してくるものもある。
【０００５】
また、ＩＥＥＥ８０２．１１規格に基づいた無線ＬＡＮが普及してきた今日において、いろいろなロケーションで無線機器が設置されている。したがって、無線ＬＡＮの普及と共に使用する周波数チャンネルが不足してきており、例えば、一つのオフィスの中で複数のＡＰが同じチャンネルで設置されることもある。
【０００６】
これまでは、ＳＴＡやＡＰが最大のパワーレベルでデータアクセスを行っていても大きな問題にはなっていなかったが、上述したようにＡＰが多数設置されるような環境になった場合には、送信パワーを押さえていかないと混信の原因となってしまい、本来の無線ＬＡＮの利便性を享受することができなくなってしまう。
【０００７】
ＩＥＥＥ８０２．１１規格では、混信した場合の回避法としては、ＣＳＭＡ／ＣＡ（Carrier Sense Multiple Access with Collision Avoidance）を使用した信号衝突回避が挙げられる。この方法では、信号キャリアを検出した場合には、バックオフに回って、次の送信機会を待つ。しかし、そもそもＡＰが乱立している状況では、ほとんどの無線機器が信号を検出してしまうためにバックオフに回ってしまい、送信機会がなかなか回ってこなくなる。
【０００８】
また、ＳＴＡは、そのＳＴＡから見て遠くに設置されているＡＰからの信号が拾えた場合には、その受信信号のフレーム解析や、上位層へのデータ通知をしなければならない。しかし、一般的には、遠くに設置されているＡＰと接続することはほとんどなく、近くに設置されているＡＰとの接続確立を行った後にデータ送受信を行うことが普通である。したがって、遠くに設置されているＡＰの信号を拾い上げてフレーム解析等のソフトウェア処理を増やすことは、機能的にみても、消費電力を押さえるという観点からみてもあまりよいことではない。
【０００９】
また、必要のない信号はプロトコルレベルで処理をするのではなく、できるだけ下位層（物理層）で拒絶してしまうのがよい。ここで、物理層で拒絶する方法としては、受信キャリア信号強度を閾値と比べながら判定していく方法が知られている（例えば、特許文献１参照）。
【００１０】
ここで、信号強度の求め方は、いろいろとあるが、例えば、ＲＦ（Radio Frequency）ブロックで生成されるＲＳＳＩ（Receive Signal Strength Indicator）信号を利用する方法がある。また、受信した信号のベースバンドＩＱ成分から計算する方法もある。
【００１１】
前者の方法では、回路の雑音成分や温度依存性等により必ずしも正確に受信信号の強度を検出することができない。また、後者の方法では、ベースバンドＩＱ信号からの計算はＡＤＣ（Analog to Digital Converter）の精度にも依るが入力範囲を超えた信号が入ってきたときにＡＤＣの入力範囲を超えて飽和してしまうために精度良く計算しきれない面もあった。
【００１２】
このような問題を解決するために、特許文献１には、動的に閾値変更を行い、対象とするＡＰの信号であるかどうかを判定することが記載されている。
【特許文献１】特開２００４−７５０４号公報
【発明の開示】
【発明が解決しようとする課題】
【００１３】
しかしながら、特許文献１に記載されたものでは、不要とする信号の検出を信号強度判定だけに依存させてしまうため、精度良く不要信号の判定を行う点については改善の余地があった。
【００１４】
本発明は、上述の事情に鑑みてなされたもので、精度良く不要信号の判定を行うことができる無線ＬＡＮ装置を提供することを目的とする。
【課題を解決するための手段】
【００１５】
本発明の無線ＬＡＮ装置は、受信信号の強度を検出する受信信号強度検出手段と、第１の閾値を動的に変更する第１閾値変更手段と、前記受信信号強度検出手段によって検出された強度が前記第１の閾値以下であるか否かを判定する受信信号強度閾値判定手段と、受信信号に含まれるトレーニング信号の自己相関値を演算するトレーニング信号相関演算手段と、前記トレーニング信号相関演算手段によって演算された自己相関値が第２の閾値以下であるか否かを判定するトレーニング信号相関閾値判定手段と、前記受信信号強度閾値判定手段による判定結果と前記トレーニング信号相関閾値判定手段による判定結果とに基づいて、受信信号を拒絶するか否かを判定する受信信号拒絶判定手段と、を備えた構成を有している。
【００１６】
この構成により、受信信号の強度と比較する閾値を動的に変更し、さらに、受信信号の強度に加えてトレーニング信号の自己相関値を用いて受信信号がＩＥＥＥ８０２．１１規格に準拠した信号であるか否かを判定するため、精度良く不要信号の判定を行うことができる。
【００１７】
また、本発明の無線ＬＡＮ装置は、前記第２の閾値を動的に変更する第２閾値変更手段を備えた構成を有している。
【００１８】
この構成により、トレーニング信号の自己相関値と比較する閾値を動的に変更するため、より精度良く不要信号の判定を行うことができる。
【００１９】
また、本発明の無線ＬＡＮ装置は、アクセスポイントとの接続確立を行う際の前記アクセスポイントからの受信信号に基づいて、前記第１の閾値を決定する第１の閾値決定手段を備え、前記受信信号強度閾値判定手段が、前記受信信号強度検出手段によって検出された強度が前記第１閾値決定手段によって決定された第１の閾値以下であるか否かを判定する構成を有している。
【００２０】
この構成により、アクセスポイントからの受信信号に基づいて閾値を決定するため、適切なアクセスポイントからの信号受信状態を維持することができる。
【００２１】
また、本発明の無線ＬＡＮ装置は、前記第１の閾値に基づいて、送信信号の強度を決定する送信信号強度決定手段を備えた構成を有している。
【００２２】
この構成により、送信信号の強度を最適化するため、消費電力を低減させることができる。また、接続したいアクセスポイント以外の端末への電波飛来を押さえることができるため、接続したアクセスポイント以外の端末の処理負荷を低減させることができる。したがって、アクセスポイントが多数ある環境においても不要な電波が必要以上に媒体に現れなくなり、無線ＬＡＮ全体の送受信通信性能が向上する。
【００２３】
また、本発明の無線ＬＡＮ装置は、前記第１の閾値と前記第２の閾値とに基づいて、送信信号の強度を決定する送信信号強度決定手段を備えた構成を有している。
【００２４】
この構成により、受信信号の強度だけを判断根拠にした場合に比べて、送信信号の強度をより最適化することができる。
【００２５】
また、本発明の無線ＬＡＮ装置は、接続確立が成功したアクセスポイントのＭＡＣアドレスを保持するＭＡＣアドレス保持手段と、受信信号が前記ＭＡＣアドレス保持手段によって保持されているＭＡＣアドレスのアクセスポイントからの信号であるか否かを判定するＭＡＣアドレス判定手段と、を備え、前記受信信号拒絶判定手段は、前記ＭＡＣアドレス判定手段による判定結果に基づいて、受信信号を拒絶するか否かを判定する構成を有している。
【００２６】
この構成により、受信信号強度検出手段によって検出された信号の強度が第１の閾値以下でないと判定され、かつ、トレーニング信号相関演算手段によって演算された自己相関値が第２の閾値以下でないと判定された場合であっても、受信信号が接続確立の成功したアクセスポイントからの信号であるか否かを判定するため、無線ＬＡＮ装置に近い非接続アクセスポイントからの受信信号を拒絶することができる。
【発明の効果】
【００２７】
以上のように本発明によれば、精度良く不要信号の判定を行うことができるという効果を有する無線ＬＡＮ装置を提供することができる。
【発明を実施するための最良の形態】
【００２８】
以下、本発明の実施の形態に係る無線ＬＡＮ装置について、図面を参照して説明する。
【００２９】
（第１の実施の形態）
本実施の形態では、無線ＬＡＮ装置として無線受信機を適用した場合について説明する。
【００３０】
図１は、本発明の第１の実施の形態に係る無線受信機を示す構成図である。
【００３１】
図１に示すように、無線受信機は、アンテナ１０１、１０２、スイッチ１０３、ＬＮＡ（Low Noise Amplifier：低雑音増幅器）１０４、ミキサ１０５、１０９、フィルタ１０６、１１０、ＶＧＡ（Variable Gain Amplifier：可変利得増幅器）１０７、受信信号強度検出器１０８、ＡＤＣ（Analog to Digital Converter：アナログデジタル変換器）１１１、１１２、ベースバンド処理回路１１３等から構成される。
【００３２】
なお、本実施の形態において、受信信号強度検出器１０８は、本発明における受信信号強度検出手段を構成する。
【００３３】
また、ベースバンド処理回路１１３は、受信信号強度閾値判定部１１４、受信信号強度閾値設定部１１５、トレーニング信号相関演算判定部１１６、トレーニング信号相関閾値設定部１１７、ベースバンド信号処理部１１８等から構成される。
【００３４】
なお、本実施の形態において、受信信号強度閾値判定部１１４は、本発明における受信信号強度閾値判定手段を構成する。また、本実施の形態において、受信信号強度閾値設定部１１５は、本発明における第１閾値変更手段を構成する。また、本実施の形態において、トレーニング信号相関演算判定部１１６は、本発明におけるトレーニング信号相関演算手段およびトレーニング信号相関閾値判定手段を構成する。さらに、本実施の形態において、ベースバンド信号処理部１１８は、本発明における受信信号拒絶判定手段を構成する。
【００３５】
アンテナ１０１、１０２のうち受信レベルの高いアンテナがスイッチ１０３で選択され、選択されたアンテナによって受信された微弱信号は、ＬＮＡ１０４で増幅される。ＬＮＡ１０４で増幅された信号は、ミキサ１０５で中間周波数に周波数変換された後、フィルタ１０６でイメージ信号が除去される。
【００３６】
フィルタ１０６を通過した信号は、ＶＧＡ１０７で最適な信号レベルに変換された後、ミキサ１０９でベースバンド帯域に周波数変換される。ミキサ１０９で周波数変換された信号は、フィルタ１１０を通過した後、ＡＤＣ１１２でデジタル信号に変換されてベースバンド処理回路１１３においてデジタル処理で復調が行われる。
【００３７】
一方、フィルタ１０６を通過した信号の強度が、受信信号強度検出器１０８で検出される。受信信号強度検出器１０８で検出された信号は、ＡＤＣ１１１でデジタル信号に変換され、ベースバンド処理回路１１３に入力される。
【００３８】
受信信号強度検出器１０８で検出された信号の強度が受信信号強度閾値設定部１１５で設定された閾値以下であるか否かが受信信号強度閾値判定部１１４で判定される。ここで、受信信号強度検出器１０８で検出された信号の強度が受信信号強度閾値設定部１１５で設定された閾値以下でないと判定された場合には、ＩＥＥＥ８０２．１１規格に準拠した信号と判断される。
【００３９】
一方、受信信号強度検出器１０８で検出された信号の強度が受信信号強度閾値設定部１１５で設定された閾値以下であると判定された場合には、ＩＥＥＥ８０２．１１規格に準拠した信号とは判断されない。
【００４０】
なお、受信信号強度閾値設定部１１５で設定される閾値は、受信した信号の強度や周囲の電波状況によって動的に変更される。例えば、無線受信機の周囲に存在するアクセスポイント（以下、単に「ＡＰ」という。）の数が少ないときには、閾値を低い値に設定しておき、なるべく多くの信号を拾えるようにしておくのがよい。一方、無線受信機の周囲に存在するＡＰの数が多いときには、閾値を高い値に設定しておき、今現在接続している近くのＡＰ以外からの信号は拾わないようにしておくのがよい。
【００４１】
ここで、無線受信機の周囲に存在するＡＰの数が多いか少ないかの判断は、接続したＡＰとは異なるＡＰのアドレス情報を数えることにより可能となる。あるいは前もって、閾値を小さくしてＡＰがどれだけあるかを調べる方法や、動的に閾値を変えながら接続中のＡＰ以外のＡＰに関する情報を取得する方法も考えられる。
【００４２】
また、ＡＤＣ１１２からベースバンド処理回路１１３に入ってきた信号に対しては、トレーニング信号相関演算判定部１１６でトレーニング信号相関演算と判定が行われる。なお、トレーニング信号とは、本来の論理的に有効な信号とは別に無線受信機のゲイン調整や同期を取るためのあらかじめ規定された信号であり、プリアンブルとも呼ばれる。また、トレーニング信号は、同じベクトル値を０．８μｓごとに繰り返した信号であるため自己相関が取れる。そして、この自己相関値から受信した信号の同期を取ることが可能となる。
【００４３】
トレーニング信号相関演算の結果得られた自己相関値がトレーニング信号相関閾値設定部１１７で設定された閾値以下であるか否かがトレーニング信号相関演算判定部１１６で判定される。ここで、トレーニング信号相関演算の結果得られた自己相関値のうちトレーニング信号相関閾値設定部１１７で設定された閾値を超えているものがあれば、その信号はＩＥＥＥ８０２．１１規格に準拠した信号であると判断できる。
【００４４】
一方、トレーニング信号相関演算の結果得られた自己相関値のうちトレーニング信号相関閾値設定部１１７で設定された閾値を超えているものがなければ、その信号は別規格の信号や雑音等と判断できる。
【００４５】
次に、受信信号強度閾値判定部１１４による判定結果およびトレーニング信号相関演算判定部１１６による判定結果がベースバンド信号処理部１１８に入力される。
【００４６】
受信した信号がＩＥＥＥ８０２．１１規格に準拠した信号であることを受信信号強度閾値判定部１１４による判定結果およびトレーニング信号相関演算判定部１１６による判定結果が示している場合には、ベースバンド信号処理部１１８で復調処理が行われ、図２に示すベースバンド処理回路やＭＡＣ制御回路から上位層への受信信号の送出が行われる。
【００４７】
一方、受信した信号がＩＥＥＥ８０２．１１規格に準拠した信号ではないことを判定結果が示している場合には、ベースバンド信号処理部１１８で受信信号は拒絶される、すなわち、復調処理が行われない。したがって、ベースバンド処理回路やＭＡＣ制御回路から上位層への受信信号の送出が行われない。
【００４８】
以上のように本発明の第１の実施の形態に係る無線受信機によれば、受信信号の強度と比較する閾値を動的に変更し、さらに、受信信号の強度に加えてトレーニング信号の自己相関値を用いて受信信号がＩＥＥＥ８０２．１１規格に準拠した信号であるか否かを判定するため、精度良く不要信号の判定を行うことができる。
【００４９】
なお、上述した受信信号強度閾値設定部１１５で設定される閾値と同様に、トレーニング信号自己相関閾値設定部１１７で設定される閾値は、受信した信号の強度や周囲の電波状況によって動的に変更されるようにしてもよい。この場合、本実施の形態において、トレーニング信号自己相関閾値設定部１１７は、本発明における第２閾値変更手段を構成する。
【００５０】
これにより、トレーニング信号の自己相関値と比較する閾値を動的に変更するため、より精度良く不要信号の判定を行うことができる。
【００５１】
また、ＡＰとの接続確立を行う際のＡＰからの受信信号に基づいて、受信信号強度閾値設定部１１５で設定される閾値が決定されるようになっていてもよい。閾値が決定された後に受信した信号については、この決定された閾値を用いて受信信号強度閾値判定部１１４で判定されることになる。この場合、本実施の形態において、受信信号強度閾値設定部１１５は、本発明における第１閾値決定手段を構成する。
【００５２】
ＩＥＥＥ８０２．１１ｈ規格においては、ＡＰからのビーコン信号にＡＰ自身の送信信号の強度を付加してくることも可能である。このとき、無線受信機では、ＡＰ自身の送信信号の強度と実際に受信した信号の強度から換算してＡＰまでの距離を推測することができる。具体的には、図２に示すＲＦブロックのゲイン設定情報から、逆換算してアンテナ端に入ってきた信号の強度を推測する。そして、ＡＰ自身の送信信号の強度と逆換算したアンテナ端の信号の強度から、ＡＰと無線受信機間での減衰量がわかるため、その減衰量により距離推測が可能となる。この距離の推測結果から受信信号の強度の閾値を決定し、決定した閾値を設定する。
【００５３】
これにより、ＡＰからの受信信号に基づいて閾値を決定するため、適切なＡＰからの信号受信状態を維持することができる。
【００５４】
また、ＡＰから送信される信号にＡＰ自身の送信信号の強度が含まれていない場合でも、受信信号の強度だけを使用して、その大きさからＡＰからの信号の強度を判定することができる。
【００５５】
具体的には、受信信号強度閾値判定部１１４が閾値表に基づいて判定することになる。例えば、デフォルトの閾値表を作成しておき、受信した信号のうち最も強度の大きい信号に対応するＡＰを接続すべきＡＰと判定する。このとき、ＡＰと接続ができた場合には、受信した信号の強度に基づいて閾値表を更新する。なお、受信した信号の強度がデフォルトの閾値より小さな値の場合は、ＡＰと接続しないか、または、受信した信号のうち最も強度の大きい信号に対応するＡＰと接続する。
【００５６】
この場合には、接続したいＡＰが最も近くにあるＡＰであることが前提となってしまうが、一般的には至近のＡＰに接続することが多いので問題は少ない。また、閾値より大きな強度の受信信号を出すＡＰが、接続した後に発見された場合には、再度接続のし直しを行う等対処の方法はある。
【００５７】
（第２の実施の形態）
本実施の形態では、無線ＬＡＮ装置として無線送受信機を適用した場合について説明する。なお、本実施の形態では、第１の実施の形態と同様の構成には同一番号を付して、その構成の説明を省略する。
【００５８】
図３は、本発明の第２の実施の形態に係る無線送受信機を示す構成図である。
【００５９】
図３に示すように、無線送受信機は、第１の実施の形態に係る無線受信機の構成に加えて、ＶＧＡ２０１、２０４、ミキサ２０２、２０５、フィルタ２０３、２０６、ＤＡＣ（Digital to Analog Converter：デジタルアナログ変換器）２０７、送信信号強度設定部２０９、スイッチ３０１等から構成される。
【００６０】
なお、本実施の形態において、送信信号強度設定部２０９は、本発明における送信信号強度決定手段を構成する。
【００６１】
ベースバンド処理回路１１３で生成されたデジタル送信信号は、ＤＡＣ２０７でアナログ信号に変換される。そして、このアナログ信号はフィルタ２０６を通過して、ミキサ２０５で中間周波数にアップコンバートされた後、ＶＧＡ２０４で１段目の送信ゲインが調整される。
【００６２】
ＶＧＡ２０４で送信ゲインが調整された信号は、フィルタ２０３、およびミキサ２０２を通過してＲＦ（Radio Frequency）帯域の信号が生成される。そして、ＶＧＡ２０１で２段目の送信ゲインが調整される。また、スイッチ３０１は、送信時、受信時でそれぞれのアナログ信号の入出力を切り替える。
【００６３】
また、受信信号強度閾値設定部１１５で設定される閾値に基づいて、送信信号強度設定部２０９でＡＰとの距離を推測し、推測した距離に基づいて送信信号の強度が決定され、設定される。接続しているＡＰとの距離が近い場合には、低い強度が設定され、一方、接続しているＡＰとの距離が遠い場合には、高い強度が設定される。このとき、設定される強度は各国で定められている規制値を超えないようにする。そして、送信信号強度設定部２０９で設定された強度は、ＶＧＡ２０１、２０４に反映されて送信信号の強度を制御することが可能となる。
【００６４】
以上のように本発明の第２の実施の形態に係る無線送受信機によれば、送信信号の強度を最適化するため、消費電力を低減させることができる。また、接続したいＡＰ以外の端末への電波飛来を押さえることができるため、接続したＡＰ以外の端末の処理負荷を低減させることができる。したがって、ＡＰが多数ある環境においても不要な電波が必要以上に媒体に現れなくなり、無線ＬＡＮ全体の送受信通信性能が向上する。
【００６５】
なお、受信信号強度閾値設定部１１５で設定される閾値とトレーニング信号相関閾値設定部１１７で設定される閾値とに基づいて、送信信号強度設定部２０９で送信信号の強度が決定され、設定されるようにしてもよい。
【００６６】
受信信号の強度だけを判断根拠にした場合、ＲＦ回路の雑音や温度特性等の影響を受けるからである。なお、相関値は、純粋に信号波形をもとに作られた相関値であるため、トレーニング信号相関閾値設定部１１７で設定される閾値の精度は良い。
【００６７】
これにより、受信信号の強度だけを判断根拠にした場合に比べて、送信信号の強度をより最適化することができる。
【００６８】
また、図４に示すビーコンフレームに含まれるＡＰのＭＡＣアドレス情報を管理して、受信した信号を拒絶するか否かを判定するようになっていてもよい。この場合、拒絶の最終判定は、ベースバンド処理回路１１３ではなく、図２に示すＭＡＣ制御回路で行われる。すなわち、本実施の形態において、ＭＡＣ制御回路は、本発明におけるＭＡＣアドレス判定手段および受信信号拒絶判定手段を構成する。また、本実施の形態において、図示しない格納手段は、本発明におけるＭＡＣアドレス保持手段を構成する。
【００６９】
具体的には、接続確立が成功したＡＰのＭＡＣアドレスを格納手段に格納しておき、信号を受信した際にその受信信号に含まれる送信元アドレス（ＭＡＣアドレス）と格納されたＭＡＣアドレスとがＭＡＣ制御回路で比較される。比較された結果、その受信信号が接続先のＡＰから送信された信号でないと判断された場合には、その受信信号がＭＡＣ制御回路で拒絶される。一方、受信信号が接続先のＡＰから送信された信号であると判断された場合には、その受信信号がＭＡＣ制御回路から上位層へ送出される。
【００７０】
これにより、受信信号強度検出器１０８で検出された信号の強度が受信信号強度閾値設定部１１５で設定された閾値以下でないと判定され、かつ、トレーニング信号相関演算の結果得られた自己相関値がトレーニング信号相関閾値設定部１１７で設定された閾値以下でないと判定された場合であっても、受信信号が接続確立の成功したＡＰからの信号であるか否かを判定するため、無線送受信機に近い非接続ＡＰからの受信信号を拒絶することができる。
【図面の簡単な説明】
【００７１】
【図１】本発明の第１の実施の形態に係る無線受信機を示す構成図である。
【図２】一般的な無線ＬＡＮ装置を示す構成図である。
【図３】本発明の第２の実施の形態に係る無線送受信機を示す構成図である。
【図４】ＩＥＥＥ８０２．１１規格のＭＡＣフレーム構成を示す図である。
【符号の説明】
【００７２】
１０１、１０２  アンテナ
１０３、３０１  スイッチ
１０４  ＬＮＡ
１０５、１０９、２０２、２０５  ミキサ
１０６、１１０、２０３、２０６  フィルタ
１０７、２０１、２０４  ＶＧＡ
１０８  受信信号強度検出器
１１１、１１２  ＡＤＣ
１１３  ベースバンド処理回路
１１４  受信信号強度閾値判定部
１１５  受信信号強度閾値設定部
１１６  トレーニング信号相関演算判定部
１１７  トレーニング信号相関閾値設定部
１１８  ベースバンド信号処理部
２０７  ＤＡＣ
２０９  送信信号強度設定部
【図１】
2008060699.tif 000003
【図２】
2008060699.tif 000004
【図３】
2008060699.tif 000005
【図４】
2008060699.tif 000006